(57)【要約】      （修正有）【課題】レーザー照射加工機に応用される多重加工区域の組合方法を提供する。【解決手段】この組合方法は品物を照射する照射加工機に応用される多重加工区域の組合方法であって、品物に第１加工区及び第２加工区を定義して、第１加工区は第２加工区と互いに重なり合っている区域を重合区域に定義して、第１加工区は第２加工区と互いに重なり合っていない区域を非重合区域に定義するステップと、第１加工区を照射して加工して複数の照射小区域を形成して、非重合区域にある単位面積あたりの照射小区域を重合区域にある単位面積あたりの照射小区域より多くさせるステップと、を備えてなる。【選択図】図３Ｃ
2008284605.tif 000002
【特許請求の範囲】
【請求項１】
品物を照射する照射加工機に応用される多重加工区域の組合方法であって、
前記品物に第１加工区及び第２加工区を定義して、前記第１加工区は前記第２加工区と互いに重なり合っている区域を重合区域に定義して、前記第１加工区は前記第２加工区と互いに重なり合っていない区域を非重合区域に定義するステップと、
前記第１加工区を照射して加工して複数の照射小区域を形成して、前記非重合区域にある単位面積あたりの照射小区域を前記重合区域にある単位面積あたりの照射小区域より多くさせるステップと、
を備えてなることを特徴とする多重加工区域の組合方法。
【請求項２】
前記照射加工機はレーザーエッチング機であり、
前記品物は導光板とモールドの一つである、
ことを特徴とする請求項１記載の多重加工区域の組合方法。
【請求項３】
前記重合区域の面積は前記第１加工区の面積の半分より小さい、または前記第１加工区の面積の半分と等しい、
前記第１加工区は、前記第２加工区にある前記重合区域と、前記第１加工区にある、前記第２加工区と互いに重なり合っていない非重合区域とを備えてなり、
前記第２加工区は、前記第１加工区にある前記重合区域と、前記第２加工区にある、前記第１加工区と互いに重なり合っていない区域とを備えてなる、
ことを特徴とする請求項１記載の多重加工区域の組合方法。
【発明の詳細な説明】
【技術分野】
【０００１】
この発明は照射加工機に応用される多重加工区域の組合方法に関し、特にレーザー照射加工機に応用される多重加工区域の組合方法に関する。
【背景技術】
【０００２】
これまで液晶表示器の導光板あるいは導光板のモールドを製造する際に、レーザー光を照射することによって導光板あるいは導光板のモールドの上にドットを発生させることがある。
【０００３】
図１は小型の導光板をレーザーで加工することを示す図である。レーザー発光セット７において、レーザー光はレーザーヘッド１から伝送モジュール２と振鏡セット３とレンズセット４を通して発射されてゆく。この図において、レーザー光はレンズセット４を通して小型の導光板のどこにも発射される。レーザー光に射入されたドットは際に微視的な加工条件が異なるので、電子顕微鏡の下でそれぞれのドットの形状が異なることも当然である。しかしながら、レーザー光によってＡドット２０Ａから、Ｂドット２０Ｂ、Ｃドット２０Ｃまで加工するので、それらの微視的な加工条件が連続的なのである。製造した小型の導光板５を液晶表示器に設置する際に、光線が小型の導光板５を通して示した変化も微量で連続的なので、ユーザーにとって目で光線の変化に気が付くことは困難である。
【０００４】
図２Ａは大型の導光板をレーザーで加工することを示す図である。従来のレーザー加工技術で一気に大型の導光板を照射して済むことができないので、大型の導光板を複数の区域に定義してそれぞれに加工しなくてはならない。図２Ａにおいて、大型の導光板６は一次加工区域６ａと二次加工区域６ｂに定義された。レーザー発光セット７は一次加工区域６ａ上の一次位置８まで移動して加工してから、二次加工区域６ｂ上の二次位置９まで移動して加工する。この大型の導光板６で加工された後、レーザー光によってＡドット２０Ａから、Ｂドット２０Ｂ、Ｃドット２０Ｃまで加工するのが連続的なので、光線が導光板を通して示した変化も微量で連続的になって、ユーザーにとって目で光線の変化に気が付くことは困難である。さらに、レーザー光によってＤドット２０Ｄから、Ｅドット２０Ｅ、Ｆドット２０Ｆまで加工するのも連続的なので、光線が導光板を通して示した変化も微量で連続的になって、ユーザーにとって目で光線の変化に気が付くことも困難である。しかしながら、レーザー光によってＣドット２０ＣからＤドット２０Ｄまで加工するのが不連続的なので、光線が導光板を通して示した変化は不連続的になって、ユーザーにとって目で光線の変化に気が付くことが容易である。これは大型の導光板をレーザーで加工する際に直面する問題である。
【０００５】
図２Ｂは大型の導光板を従来のレーザーで加工して生じた不連続的なドットの現象を示す図である。上の加工区域と下の加工区域との間に生じた不連続的なドットの現象を見ることができる。
【発明の開示】
【発明が解決しようとする課題】
【０００６】
したがって、新たな多重加工区域の組合方法を提出する必要がある。それに基づいて上記のような、上の加工区域と下の加工区域との間に生じた不連続的なドットの問題を解決しようとする。
【課題を解決するための手段】
【０００７】
本発明は品物を照射する照射加工機に応用される多重加工区域の組合方法を提出した。この組合方法は、前記品物に第１加工区及び第２加工区を定義して、前記第１加工区は前記第２加工区と互いに重なり合っている区域を重合区域に定義して、前記第１加工区は前記第２加工区と互いに重なり合っていない区域を非重合区域に定義するステップと、前記第１加工区を照射して加工して複数の照射小区域を形成して、前記非重合区域にある単位面積あたりの照射小区域を前記重合区域にある単位面積あたりの照射小区域より多くさせるステップと、を備えてなることを特徴とする。
【０００８】
前記照射加工機はレーザーエッチング機であり、前記品物は導光板とモールドの一つであることを特徴とする、請求項１記載の多重加工区域の組合方法。
【０００９】
前記重合区域の面積は前記第１加工区の面積の半分より小さい、または前記第１加工区の面積の半分と等しい、前記第１加工区は、前記第２加工区にある前記重合区域と、前記第１加工区にある、前記第２加工区と互いに重なり合っていない非重合区域とを備えてなり、前記第２加工区は、前記第１加工区にある前記重合区域と、前記第２加工区にある、前記第１加工区と互いに重なり合っていない区域とを備えてなることを特徴とする。
【発明の効果】
【００１０】
上記のような多重加工区域の組合方法によって、上記のような、上の加工区域と下の加工区域との間に生じた不連続的なドットの問題を解決することができる。
【発明を実施するための最良の形態】
【００１１】
図３Ａは大型の導光板６を示す図である。導光板６の寸法は、長さが２０ｃｍ、幅が１０ｃｍである。
【００１２】
図３Ｂは本発明による実施形態１の大型の導光板を示す図である。大型の導光板６は第１加工区域１１及び第２加工区域１２に定義された。第１加工区１１は第２加工区１２と互いに重なり合っている区域は重合区域１３に定義されて、第１加工区１１は第２加工区１２と互いに重なり合っていない区域は非重合区域１４に定義された。そして、第１加工区１１の面積に対する重合区域１３の面積の比例はｘである。この実施形態１においてはｘが三分の一であって、別の実施形態においてはｘが０％から１００％までの何の比例であってもよい。
【００１３】
図３Ｃは本発明による実施形態１の大型の導光板をレーザーで加工した後の第１加工区１１を示す図である。大型の導光板６を定義してから、レーザーで第１加工区１１を照射して加工して複数の照射小区域２０を形成する。この実施形態１において、形成された複数の照射小区域２０は液晶表示器の導光板のドットである。非重合区域１４にある単位面積あたりの照射小区域２０は重合区域１３にある単位面積あたりの照射小区域より多い、つまり、非重合区域１４にある照射小区域２０の密度は重合区域１３にある照射小区域の密度より高い。重合区域１３は１６ａ、１７ａ、１８ａ及び１９ａのような４欄に分けられる。１６ａ欄には八つの照射小区域２０がある。１７ａ欄には六つの照射小区域２０がある。１８ａ欄には四つの照射小区域２０がある。１９ａ欄には二つの照射小区域２０がある。したがって、照射小区域２０の分布は非重合区域１４からの距離が遠くなるにともなって次第に少なくなる。
【００１４】
図３Ｄは本発明による実施形態１の大型の導光板をレーザーで加工した後の第２加工区１２を示す図である。第１加工区１１をレーザーで加工してから、レーザーで第２加工区１２を照射して加工して複数の照射小区域２０を形成する。第１加工区１１の場合と同じ、重合区域１３にある照射小区域の密度は第２加工区１２の他の部分にある照射小区域の密度より低い。重合区域１３は１６ｂ、１７ｂ、１８ｂ及び１９ｂのような４欄に分けられる。１６ｂ欄には二つの照射小区域２０がある。１７ｂ欄には四つの照射小区域２０がある。１８ｂ欄には六つの照射小区域２０がある。１９ｂ欄には八つの照射小区域２０がある。したがって、照射小区域２０の分布は非重合区域１４からの距離が遠くなるにともなって次第に少なくなる。
【００１５】
特に、１６ｂ欄と１６ａ欄（図３Ｃ参照）は互いに相補関係を有している。１６ｂ欄にある照射小区域２０は１６ａ欄にある空白区域に位置する。同様に、１７ｂ欄と１７ａ欄（図３Ｃ参照）は互いに相補関係を有し、１８ｂ欄と１８ａ欄（図３Ｃ参照）は互いに相補関係を有し、１９ｂ欄と１９ａ欄（図３Ｃ参照）は互いに相補関係を有している。
【００１６】
図３Ｅは本発明による実施形態２の第１加工区１１を示す図である。図３Ｅは図３Ｃに対応している。図３Ｅにおいて、２１ａ欄は１６ａ欄（図３Ｃ参照）と同じで八つの照射小区域２０を有しているが、それらの照射小区域２０の分布は乱数産生器からの乱数によって任意に形成される。
【００１７】
同様に、図３Ｅにおいて、２２ａ欄は１７ａ欄（図３Ｃ参照）と同じで六つの照射小区域２０を有しているが、それらの照射小区域２０の分布は乱数産生器からの乱数によって任意に形成される。
【００１８】
同様に、図３Ｅにおいて、２３ａ欄は１８ａ欄（図３Ｃ参照）と同じで四つの照射小区域２０を有しているが、それらの照射小区域２０の分布は乱数産生器からの乱数によって任意に形成される。
【００１９】
同様に、図３Ｅにおいて、２４ａ欄は１９ａ欄（図３Ｃ参照）と同じで二つの照射小区域２０を有しているが、それらの照射小区域２０の分布は乱数産生器からの乱数によって任意に形成される。
【００２０】
したがって、この実施形態２の重合区域１３にある照射小区域２０の分布は非重合区域１４からの距離が遠くなるにともなって次第に変化していく。
【００２１】
図３Ｆは本発明による実施形態２の第２加工区１２を示す図である。図３Ｄに対応して、この実施形態２の重合区域１３にある照射小区域２０の分布も非重合区域１４からの距離が遠くなるにともなって次第に変化していく。
【００２２】
図３Ｇは本発明による実施形態３の第１加工区１１を示す図である。重合区域１３にある照射小区域２０は半分の重合区域１３を充填して、それらの照射小区域２０の分布は乱数産生器からの乱数によって任意に形成される。
【００２３】
図３Ｈは本発明による実施形態３の第２加工区１２を示す図である。図３Ｇと同じで、重合区域１３にある照射小区域２０は半分の重合区域１３を充填して、それらの照射小区域２０の分布は乱数産生器からの乱数によって任意に形成される。
【００２４】
本発明の実施形態３において５０％の任意分布を採用しているが、他の実施形態において他の比例の任意分布を採用してもよい。例えば、第１加工区１１を照射する際に６０％の分布密度で重合区域１３を照射してから、第２加工区１２を照射する際に４０％の分布密度で重合区域１３を照射してもよい。
【００２５】
図３Ｂ１は図３Ｂを追加して示す図である。重合区域１３は第１重合子区域１３１と第２重合子区域１３２に分けられる。第１重合子区域１３１は第１加工区１１と隣接して、第２重合子区域１３２は第２加工区１２と隣接している。第１加工区１１にある、第２重合子区域１３２を含んでいない部分は第１主区域１１０である。第１主区域１１０は非重合区域１４と第１重合子区域１３１とを含んでいる。第２加工区１２にある、第１重合子区域１３１を含んでいない部分は第２主区域１２０である。第２主区域１２０は第２重合子区域１３２と第２加工区１２にある、重合区域１３を含んでいない部分とを含んでいる。
【００２６】
図４Ａは本発明による超大型の導光板を示す図である。図３Ａまたは図３Ｂのような導光板よりもっと大きくて、図４Ａの導光板２５は二個以上の加工区域に分けられて加工されなくてはならない。
【００２７】
図４Ｂは本発明によるもう一つの超大型の導光板を示す図である。本発明の精義は区域を重合して加工して、限界が不連続になる問題を解決しようとするが、上記の実施形態に限らないものである。例えば、図４Ｂに示したように、導光板２５を互いに重合している六つの加工区域に分けてから、上記の方法で加工する。同様に、他の実施形態において、導光板を二つ、三つ、四つ、六つ、七つ、八つ・・・など二個以上の加工区域に分けて加工するのが好ましい。
【００２８】
本発明の精義は区域を重合して加工して、限界が不連続になる問題を解決しようとするが、上記の実施形態に限らないものである。上記レーザー加工手段の他に、例えば化学加工手段を用いてもよい。
【００２９】
本発明の精義は区域を重合して加工して、限界が不連続になる問題を解決しようとするが、上記の実施形態に限らないものである。上記ドットの他に、例えば品物を貫いた孔、品物の表面彫刻などに対して用いてもよい。
【００３０】
本発明の精義は区域を重合して加工して、限界が不連続になる問題を解決しようとするが、上記の実施形態に限らないものである。上記図３Ｂのような方形の加工区域の他に、例えば円形の加工区域、長方形の加工区域などに対して用いてもよい。
【００３１】
本発明の精義は区域を重合して加工して、限界が不連続になる問題を解決しようとするが、上記の実施形態に限らないものである。本発明は下記のような実施態様に対して用いられてもよい：
（１）  異なる加工媒介物：例えばレーザー加工、化学加工など。
【００３２】
（２）異なる加工方法：例えばレーザーエッチング、レーザー彫刻など。
【００３３】
（３）異なる加工品物：例えば導光板、モールドなど。
【００３４】
（４）異なる分布密度：例えば５０％と５０％、４０％と６０％など。
【００３５】
（５）異なる照射小区域：例えばドット、表面彫刻など。
【００３６】
（６）異なる分布方式：例えば次第の分布、任意の分布など。
【００３７】
（７）異なる加工区域の形状：例えば方形、円形、長方形など。
【００３８】
（８）異なる数量の加工区域：例えば二つ以上の加工区域。
【００３９】
図５は本発明による多重加工区域の組合方法を用いた導光板のドットを示す図である。Ｙ１線とＹ２線との間に二つの加工区域が重合する。図５において次第の分布を用いたので、Ｙ２線に近づくとドットの分布は高くなって、Ｙ１線に近づくとドットの分布は低くなる現象が見える。したがって、従来の技術に比べて、本発明はより優れた限界のはっきりしない効果を生じることができる。
【００４０】
図６Ａは大型の品物を示す図である。図６Ｂは大型の品物にある複数の加工区域を示す図である。図６Ｂにおいて、大型の品物２００は第１加工区域３０、第２加工区域３１及び第３加工区域３２に分けられる。
【００４１】
図６Ｃは大型の品物にある第２加工区域を示す図である。図６Ｃにおいて、第２加工区域３１は前段１６１、中段１６２及び後段１６３に分けられる。前段１６１は第２加工区域３１と第１加工区域３０が互いに重合した部分であるが、後段１６３は第２加工区域３１と第３加工区域３２が互いに重合した部分である。中段１６２はどれの加工区域とも重合しない。図６Ｃに示したように、レーザーで加工された第２加工区域３１には多くのドットがある。中段１６２にあるドットの密度は前段１６１または後段１６３にあるドットの密度より高い。ここで、密度とは単位面積の照射小区域２０の数量である。
【００４２】
上記全ての実施形態によって、本発明は多重加工区域に生じた限界がはっきりする問題を解決して、多重加工区域に限界をはっきりさせることができる。
【図面の簡単な説明】
【００４３】
【図１】小型の導光板をレーザーで加工することを示す図である。
【図２Ａ】大型の導光板をレーザーで加工することを示す図である。
【図２Ｂ】大型の導光板を従来のレーザーで加工して生じた不連続的なドットの現象を示す図である。
【図３Ａ】大型の導光板６を示す図である。
【図３Ｂ】本発明による実施形態１の大型の導光板を示す図である。
【図３Ｂ１】図３Ｂを追加して示す図である。
【図３Ｃ】本発明による実施形態１の大型の導光板をレーザーで加工した後の第１加工区１１を示す図である。
【図３Ｄ】本発明による実施形態１の大型の導光板をレーザーで加工した後の第２加工区１２を示す図である。
【図３Ｅ】本発明による実施形態２の第１加工区１１を示す図である。
【図３Ｆ】本発明による実施形態２の第２加工区１２を示す図である。
【図３Ｇ】本発明による実施形態３の第１加工区１１を示す図である。
【図３Ｈ】本発明による実施形態３の第２加工区１２を示す図である。
【図４Ａ】本発明による超大型の導光板を示す図である。
【図４Ｂ】本発明によるもう一つの超大型の導光板を示す図である。
【図５】本発明による多重加工区域の組合方法を用いた導光板のドットを示す図である。
【図６Ａ】大型の品物を示す図である。
【図６Ｂ】大型の品物にある複数の加工区域を示す図である。
【図６Ｃ】大型の品物にある第２加工区域を示す図である。
【符号の説明】
【００４４】
１・・・レーザーヘッド    ２・・・伝送モジュール    ３・・・振鏡セット    ４・・・レンズセット    ５・・・小型の導光板    ６・・・大型の導光板    ６ａ・・・一次加工区域    ６ｂ・・・二次加工区域    ７・・・レーザー発光セット    ８・・・一次位置    ９・・・二次位置    １１・・・第１加工区域    １２・・・第２加工区域    １３・・・重合区域    １４・・・      非重合区域    １６ａ・・・１６ａ欄    １６ｂ・・・１６ｂ欄    １７ａ・・・          １７ａ欄    １７ｂ・・・１７ｂ欄    １８ａ・・・１８ａ欄    １８ｂ・・・          １８ｂ欄    １９ａ・・・１９ａ欄    １９ｂ・・・１９ｂ欄      ２０・・・          照射小区域    ２０Ａ・・・Ａドット    ２０Ｂ・・・Ｂドット    ２０Ｃ・・・          Ｃドット    ３０・・・第１加工区域    ３１・・・第２加工区域    ３２・・・          第３加工区域    １１０・・・第１主区域    １２０・・・第２主区域    １３１・・・第１重合子区域    １３２・・・第２重合子区域    １６１・・・      前段    １６２・・・中段    １６３・・・後段    ２００・・・大型の品物    
Ｙ１・・・Ｙ１線    Ｙ２・・・Ｙ２線
【図１】
2008284605.tif 000003
【図２Ａ】
2008284605.tif 000004
【図２Ｂ】
2008284605.tif 000005
【図３Ａ】
2008284605.tif 000006
【図３Ｂ】
2008284605.tif 000007
【図３Ｂ１】
2008284605.tif 000008
【図３Ｃ】
2008284605.tif 000009
【図３Ｄ】
2008284605.tif 000010
【図３Ｅ】
2008284605.tif 000011
【図３Ｆ】
2008284605.tif 000012
【図３Ｇ】
2008284605.tif 000013
【図３Ｈ】
2008284605.tif 000014
【図４Ａ】
2008284605.tif 000015
【図４Ｂ】
2008284605.tif 000016
【図５】
2008284605.tif 000017
【図６Ａ】
2008284605.tif 000018
【図６Ｂ】
2008284605.tif 000019
【図６Ｃ】
2008284605.tif 000020